(57)【特許請求の範囲】
【請求項１】
表表紙、裏表紙、背表紙からなるホルダー本体と、前記背表紙の内側に設けられた粘着部とを備えてなる粘着ホルダーにおいて、
前記裏表紙および表表紙の自由端側から４０度から８０度の範囲の角度でそれぞれ対向するように延出させた延出部と、
当該それぞれの延出部の先端部側に設けられ、表表紙および裏表紙側からの押圧によってそれぞれの延出部を係合させる係合部とを備えてなり、
前記係合部が、背表紙の長手方向に沿って幅狭に構成されたネック部および当該ネック部の先端側に設けられた幅広のヘッド部を有する凸部と、当該凸部のネック部を両側から挟み込むようにした凹部を備えて構成され、凹部の内側から一定の角度で突出している前記凸部および前記凹部の長手方向両側から突出している部分を捻ることによって、係合状態を解除するようにしたことを特徴とする粘着ホルダー。
【発明の詳細な説明】
【技術分野】
【０００１】
本発明は、名刺などを収納できるようにした粘着ホルダーに関するもので、より詳しくは、背表紙の内側に粘着テープを貼り付けて名刺などの一端側を保持させるようにした粘着ホルダーに関するものである。
【背景技術】
【０００２】
従来の一般的な名刺ホルダーを図５に示す。図５において、符合６１は、名刺を束ねて収納できるようにしたポケット状の収納部であり、符合６２は、当該収納部６１から名刺が落ちないようにしたカバーである。このような名刺ホルダーによれば、自分の名刺や他人から受け取った名刺などをポケット状の収納部６１に束ねた状態でまとめて収納することができるというメリットがある。
【０００３】
ところで、このような名刺ホルダーでは、例えば、名刺交換などで多くの名刺を受け取った際、それらの名刺を束ねて収納しなければならず、後からどのような者と名刺交換をしたのかをチェックする場合、一旦、名刺ホルダーからすべての名刺を取り出して、一枚ずつ捲りながらチェックしていかなければならないというデメリットがある。
【０００４】
このため、近年では、名刺の一端側を粘着テープに粘着させて自由端側を一枚ずつ捲れるようにした名刺ホルダーも提案されている（特許文献１など）。この名刺ホルダーの構成について図６を用いて説明すると、図６において、符合６３はホルダー本体であって、表表紙、裏表紙、背表紙などを一体的に構成されるものである。また、符合６４は、その背表紙の内側に貼り付けられた粘着テープである。この粘着テープ６４には、縦長方向に沿った切れ目を有するカバーテープが貼り付けられており、収納される名刺の枚数に応じてカバーテープを剥がし、名刺の一端側を粘着させるようにしている。このような名刺ホルダーによれば、受け取った名刺の一端側を保持させてバインダーのように見開くことができるため、どのような名刺を受け取ったかを瞬時に把握することができるというメリットがある。
【先行技術文献】
【特許文献】
【０００５】
【特許文献１】実開平０５−５６４７９号公報
【発明の概要】
【発明が解決しようとする課題】
【０００６】
しかしながら、このような従来の粘着式の名刺ホルダーにおいても次のような問題を有している。
【０００７】
すなわち、このような一端側を粘着させる名刺ホルダーの場合、粘着部分の接触面積が小さいために、粘着力が弱くなると本体から名刺が落ちてしまう可能性がある。このような問題を解決するために、本体の見開き側である自由端側に裏表紙から表表紙側に跨るように帯状物やホックなどを設けるようにすることも考えられるが、このような帯状物やホックなどを設けると、名刺交換する際に、そのホックの取り外しのために手間がかかってしまう。
【０００８】
そこで、本発明は、一端側を粘着させるようにした粘着ホルダーにおいて、本体の自由端側を容易に係合および開放させることができる粘着ホルダーを提供することを目的とするものである。
【課題を解決するための手段】
【０００９】
すなわち、本発明は上記課題を解決するために、表表紙、裏表紙、背表紙からなるホルダー本体と、前記背表紙の内側に設けられた粘着部とを備えてなる粘着ホルダーにおいて、前記裏表紙および表表紙の自由端側から４０度から８０度の範囲の角度でそれぞれ対向するように延出させた延出部と、当該それぞれの延出部の先端部側に設けられ、表表紙および裏表紙側からの押圧によってそれぞれの延出部を係合させる係合部とを備えてなり、前記係合部が、背表紙の長手方向に沿って幅狭に構成されたネック部および当該ネック部の先端側に設けられた幅広のヘッド部を有する凸部と、当該凸部のネック部を両側から挟み込むようにした凹部を備えて構成され、凹部の内側から一定の角度で突出している前記凸部および前記凹部の長手方向両側から突出している部分を捻ることによって、係合状態を解除するようにしたものである。
【発明の効果】
【００１０】
本発明によれば、表表紙および裏表紙側からそれぞれ押圧させるだけ自由端側を係合させることができるとともに、それぞれの表表紙および裏表紙を離間させることで自由端側を開放させることができるようになる。また、自由端側を延出部で覆うようにしているため、名刺などの収納物が落ちてしまうようなこともなくなる。さらに、表表紙と裏表紙を閉じる際に、それぞれのネック部とヘッド部が係合しやすくなり、より簡単に自由端側を閉じることができるようになる。また、自由端側を開放させる際には、突出しているヘッド部をそれぞれ摘んで開放方向に力を付与することで、容易に表表紙と裏表紙を開放させることができるようになる。
【図面の簡単な説明】
【００１１】
【図１】本発明の一実施の形態である粘着ホルダーの外観斜視図
【図２】同形態におけるホルダー本体の平面展開図
【図３】同形態における粘着ホルダーを閉じた状態を示す側面図
【図４】同形態における粘着ホルダーを閉じた状態を示す正面図
【図５】従来例における名刺ホルダー
【図６】従来例における粘着式の名刺ホルダー
【発明を実施するための最良の形態】
【００１２】
以下、本発明の一実施の形態について図面を参照して説明する。この実施の形態における粘着ホルダー１は、名刺５などのように比較的厚手の紙葉類の一端側を保持して見開き状に見れるようにしたものであって、図１に示すように、表表紙２１、裏表紙２２、背表紙２３などからなるホルダー本体２と、そのホルダー本体２の背表紙２３の内側（すなわち、名刺５が収納される側）に貼り付けられた粘着テープ３１とを備えてなるものである。そして、特徴的には、そのホルダー本体２の表表紙２１および裏表紙２２の自由端側から互いに対向するように屈曲させた延出部４（４１、４２）を設け、その延出部４の先端側に設けられたネック部４５やヘッド部４６からなる凸部４３やこれに対応する凹部４４を設けてそれぞれ係合させ、名刺５を収納できるようにしたものである。以下、本実施の形態における粘着ホルダー１の構成について詳細に説明する。
【００１３】
まず、ホルダー本体２は、可撓性樹脂などによって一体的に構成されるものであって、表表紙２１や裏表紙２２、背表紙２３などを設けるとともに、その表表紙２１と裏表紙２２の自由端側から更に延出させた延出部４（４１、４２）を設けて構成されている。これらの背表紙２３、表表紙２１、裏表紙２２、延出部４のそれぞれの境界部分には、押圧によって形成された屈曲部２４が設けられており、その屈曲部２４に一定の力を加えて折り曲げることにより、背表紙２３、表表紙２１、裏表紙２２などを構成できるようにしている。
【００１４】
また、このホルダー本体２の背表紙２３の内側に貼り付けられる粘着テープ３１は、名刺５の一端側を粘着させるようにしたものであって、比較的厚手のものであって弾力性を有するものが用いられる。そして、この粘着テープ３１の表面側には、図２に示すように、縦長方向に沿ったカバーテープ３２が平行に貼り付けられており、必要に応じてそのカバーテープ３２を剥がすことによって名刺５の一端側を粘着させるようにしている。
【００１５】
このような構成において、本発明の特徴である延出部４は、粘着テープ３１に貼り付けられた名刺５を落下させないように収納するとともに、容易に粘着ホルダー１を片手で開閉できるような構成となっている。
【００１６】
具体的にこの延出部４は、表表紙２１側から延出させた表延出部４１と、裏表紙２２側から延出させて裏延出部４２を設けるように構成されており、それぞれの表延出部４１と裏延出部４２に、背表紙２３と対向する面内で係合する係合部（凸部４３、凹部４４）を設けるようにしている。この係合部は、片手で係合や解除動作を行えるようにするために、一方の延出部４の先端側に、背表紙２３の縦長方向に沿って幅狭としたネック部４５や、その先端側に幅広のヘッド部４６からなる凸部４３を設け、また、これに対向する他方側の延出部４に、そのヘッド部４６を係合させるとともにネック部４５を両側から挟み込むようにした凹部４４を形成するようにしている。なお、図１などにおいては、凸部４３や凹部４４を一箇所ずつ設けるようにしているが、これらの凸部４３や凹部４４については複数個設けるようにしてもよい。但し、図１のように凸部４３や凹部４４を一箇所ずつ設ければ、片手で係合や解除をすることができるため、名刺交換の際に粘着ホルダー１の開閉に時間がかからないというメリットを得ることができる。
【００１７】
また、この延出部４を設ける場合、表表紙２１や裏表紙２２から約４０度から８０度の角度（好ましくは、４５度以上７０度以下の角度）で延出させるようにする。このような角度で延出部４を設ければ、図３に示すように、係合部を係合させる場合、表表紙２１や裏表紙２２側から押圧させることによって、そのままの状態で凸部４３を凹部４４に係合させることができる（図４参照）。このとき、それぞれの角度を４５度以上７０度以下としておけば、表表紙２１や裏表紙２２から押圧する際、延出部４の腰の強さによってそれぞれ屈曲することなくそれぞれを係合させることができる。また、この係合状態を解除する際には、凹部４４から一定の角度で突出している凸部４３や、凹部４４の左右両側の突出している部分を捻るように力を付与することによって、容易に係合状態を解除することができるようになる。もしくは、その係合状態を解除する際には、表表紙２１と裏表紙２２の下端部分もしくは上端部分の開口している部分に指を差し入れてそれぞれ開くように力を付与することで、係合状態を解除することができるようになる。
【００１８】
このように上記実施の形態によれば、表表紙２１、裏表紙２２、背表紙２３からなるホルダー本体２と、前記背表紙２３の内側に設けられた粘着テープ３１とを備えてなる粘着ホルダー１において、前記裏表紙２２および表表紙２１の自由端側から４０度から８０度の範囲の角度でそれぞれ対向するように延出させた延出部４と、当該それぞれの延出部４の先端部側に設けられ、表表紙２１および裏表紙２２側からの押圧によってそれぞれの延出部を係合させる係合部とを備えてなり、前記係合部が、背表紙２３の長手方向に沿って幅狭に構成されたネック部４５および当該ネック部４５の先端側に設けられた幅広のヘッド部４６を有する凸部４３と、当該凸部４３のネック部４５を両側から挟み込むようにした凹部４４を備えて構成され、凹部４４の内側から一定の角度で突出している前記凸部４３および凹部４４の長手方向両側の突出している部分を捻ることによって、係合状態を解除するようにしたのでので、表表紙２１および裏表紙２２側からそれぞれ押圧させるだけ自由端側を係合させることができるとともに、それぞれの表表紙２１および裏表紙２２を離間させることで自由端側を開放させることができるようになる。また、自由端側を延出部４で覆うようにしているため、名刺５などの収納物が落ちてしまうようなこともなくなる。さらには、自由端側を開放させる際には、突出しているヘッド部４６をそれぞれつまんで開放方向に力を付与することで、容易に表表紙２１と裏表紙２２を開放させることができるようになる。
【００１９】
なお、本発明は上記実施の形態に限定されることなく種々の態様で実施することができる。
【００２０】
例えば、上記実施の形態では、表表紙２１と裏表紙２２の上端側や下端側をそれぞれ開口させるようにしたが、この上端側や下端側の開口部分を閉じるようにしてもよい。
【００２１】
また、上記実施の形態で、表表紙２１や裏表紙２２から延出部４を設けるようにしているが、この延出部４を設ける場合、粘着テープ３１から表表紙２１・裏表紙２２の自由端側における屈曲部２４までの距離を、ちょうど収納される名刺５の寸法にしておき、延出部４を係合させて背表紙２３側に押圧させる際に、その押圧力によって名刺５をより粘着させるようにしてもよい。
【００２２】
さらに、上記実施の形態では、名刺５を収納する場合について説明したが、プラスチック製のカードなどを収納する場合についても適用することができる。
【００２３】
加えて、上記実施の形態では、図１に示すように、表延出部４１に凹部４４を設けるとともに、裏延出部４２に凸部４３を設けるようにしたが、これらは逆の位置に設けるようにしてもよい。
【００２４】
また、上記実施の形態では、粘着部として粘着テープ３１を用いるようにしたが、粘着性材料を塗布して粘着部を形成するようにしてもよい。
【符号の説明】
【００２５】
１・・・粘着ホルダー
２・・・ホルダー本体
２１・・・表表紙
２２・・・裏表紙
２３・・・背表紙
２４・・・屈曲部
３１・・・粘着テープ
３２・・・カバーテープ
４・・・延出部
４１・・・表延出部
４２・・・裏延出部
４３・・・凸部
４４・・・凹部
４５・・・ネック部
４６・・・ヘッド部
５・・・名刺
【図１】
0005489360.tif 000002
【図２】
0005489360.tif 000003
【図３】
0005489360.tif 000004
【図４】
0005489360.tif 000005
【図５】
0005489360.tif 000006
【図６】
0005489360.tif 000007